(57)【要約】【課題】  ウエスト回り及び脚回りからの漏れ防止性能に優れ、装着感にも優れた使い捨ておむつを提供すること。【解決手段】  第１吸収性コア４を具備する吸収性本体５と外装体１０とを具備し、背側部及び／又は腹側部における外装体に、胴回り方向に伸縮する胴回りギャザーが形成されており、４つの第２吸収性コア７，７’が、互いに離間した状態で、それらの上面及び／又は下面を覆うシートを介して平面方向に連結されてなるシート状の補助吸収体７４を、第２吸収性コア７，７’が背側部及び腹側部の左右に位置するように、吸収性本体５と外装体１０との間に固定してあり、第２吸収性コアは、一部が第１吸収性コア４と重なり、他の一部が重なっておらず、且つ、おむつ幅方向外方側に、外装体１０に固定されていない非固定域を有している。【選択図】    図２
2006102144.tif 000002
【特許請求の範囲】
【請求項１】
第１吸収性コアを具備する吸収性本体と、該吸収性本体の非肌当接面側に位置する外装体とを具備し、
背側部及び／又は腹側部における外装体に、胴回り方向に伸縮する胴回りギャザーが形成されており、
４つの第２吸収性コアが、互いに離間した状態で、それらの上面及び／又は下面を覆うシートを介して平面方向に連結されてなるシート状の補助吸収体を、前記第２吸収性コアが背側部及び腹側部の左右に位置するように、吸収性本体と外装体との間に固定してあり、
第２吸収性コアは、それぞれ、おむつ幅方向内方側の一部が第１吸収性コアと重なり、おむつ幅方向外方側の他の一部が第１吸収性コアと重なっておらず、且つ、第２吸収性コアは、それぞれ、おむつ幅方向外方側に、外装体に固定されていない非固定域を有している使い捨ておむつ。
【請求項２】
吸収性本体は、その幅方向に、該吸収性本体の下面が他の部材に固定されている固定部と、該固定部の両側に位置し該吸収性本体の下面が前記他の部材に固定されていない非固定部とを有している請求項１記載の使い捨ておむつ。
【請求項３】
吸収性本体の両側部に立体ガードが形成されており、各立体ガードは、該吸収性本体の長手方向の両端部近傍に該吸収性本体の上面上に固定された端部固定部を有し且つ該端部固定部間が着用時に起立可能になされており、
背側部及び／又は腹側部に配された前記第２吸収性コアは、背側部又は腹側部から、股下部に亘って配されており、該第２吸収性コアは、展開且つ伸張状態のおむつの長手方向における、前記端部固定部が存する領域Ａにおける幅Ｗａと、該領域Ａに隣接し該領域Ａよりもおむつ長手方向中央部側に位置する領域Ｂにおける幅Ｗｂと、前記第１吸収性コアの幅が前記領域Ｂにおける該第１吸収性コアの幅よりも狭くなっている領域であって、前記領域Ｂよりもおむつ長手方向中央部側に位置する領域Ｃにおける幅Ｗｃとが、Ｗａ＞Ｗｂ＞Ｗｃの関係を満たす請求項１又は２記載の使い捨ておむつ。
【請求項４】
股下部におけるおむつ幅方向において、前記補助吸収体と前記外装体との接合部の幅が、該補助吸収体と前記吸収性本体の接合部の幅より大きい請求項１〜３の何れか記載の使い捨ておむつ。
【発明の詳細な説明】
【技術分野】
【０００１】
本発明は、使い捨ておむつに関する。
【背景技術】
【０００２】
従来、使い捨ておむつにおいては、漏れを防止するために様々な工夫がなされている。例えば、特許文献１には、おむつ本体の長手方向端部領域において、吸収性本体と外装部材の間に挟まれて、補助吸収体が外装部材に着脱自在に取り付けたものが提案されており、また、特許文献２には、立体ギャザーの外側に位置するサイドフラップ部に、液漏れ防止シートを、該フラップ部に設けた平面ギャザーと交差するように設けたおむつが提案されている。
【０００３】
また、特許文献３には、第１吸収体の両側に第２吸収体を有し、第１吸収体と第２吸収体間にバリヤーカフスが設けられた使い捨ておむつ、特許文献４には、一対の立体ギャザーの内側のみならず外側にも吸液可能な領域を形成した使い捨ておむつが提案されている。
【０００４】
更に、特許文献５には、中央に配された吸収体の両側に、一対の吸収体が、それぞれの一部分が中央の吸収体下に位置するように配置された使い捨ておむつが記載され、特許文献６には、中央に配された吸収体の両側に、一対の吸収体が、着用時の変形により、それぞれの一部が中央の吸収体下に位置するように配置された吸収性物品が記載されている。
【０００５】
【特許文献１】特開２０００−３２５３７８号公報
【特許文献２】特開２００３−１５９２７４号公報
【特許文献３】特開平３−１２１０６９号公報
【特許文献４】特開平５−３１７３６２号公報
【特許文献５】特開平１１-８９８８０号公報
【特許文献６】特開平９-５６１号公報
【発明の開示】
【発明が解決しようとする課題】
【０００６】
しかし、上述した従来技術のおむつ等には、以下のような問題がある。
特許文献１記載のおむつにおいては、おむつ本体の長さ方向端部にしか、補助吸収体が存在しないので、足回りからの漏れやすい欠点があり、補助吸収体が外装部材と吸収性本体の間に挟まれているので重なりが大きく、装着時に違和感がある。
特許文献２記載のおむつは、股漏れ防止性能の向上を図ったものであるが、液漏れ防止シートによって平面ギャザーの伸縮応答性が悪化するため、フィット性の低下により漏れが発生しやすくなる。そのため、股漏れ防止性能を向上効果が不充分である。
【０００７】
特許文献３，４記載のおむつにおいては、第２吸収体の存在や立体ギャザーが吸収体上に存在することによって、バリヤーカフスや立体ギャザーの伸縮性が悪く、また、バリヤーカフスや立体ギャザーの外側での吸収性能を安定的に発現するためには、股間部における吸収体幅を広くしなければならず、装着時に違和感を伴う場合がある。更に、バリヤーカフスや立体ギャザー同士間の間隔を狭くすると、吸収可能な領域が狭くなりモレの危険性が高まる。即ち、防漏性と装着感を両立することができない。
【０００８】
特許文献５記載のおむつは、中央の吸収体が配された部分が、排泄部と密着して空間がないために、高速多排尿時には漏れ易く、また、中央の吸収体の上下が親水性の表面シートで覆われているため、両サイドの吸収体が濡れてしまいモレ防止機能が低下する。更に、撥水性の立体ギャザーの外側に吸収体が存在しないので、立体ギャザーを乗り越えた尿がモレ易い。
特許文献６記載の吸収性物品は、中央の吸収体が配された部分が、排泄部と密着して空間がないために、高速多排尿時には漏れ易い。
【０００９】
本発明の目的は、ウエスト回り及び脚回りからの漏れ防止性能に優れ、装着感にも優れた使い捨ておむつを提供することにある。
【課題を解決するための手段】
【００１０】
本発明は、第１吸収性コアを具備する吸収性本体と、該吸収性本体の非肌当接面側に位置する外装体とを具備し、背側部及び／又は腹側部における外装体に、胴回り方向に伸縮する胴回りギャザーが形成されており、４つの第２吸収性コアが、互いに離間した状態で、それらの上面及び／又は下面を覆うシートを介して平面方向に連結されてなるシート状の補助吸収体を、前記第２吸収性コアが背側部及び腹側部の左右に位置するように、吸収性本体と外装体との間に固定してあり、第２吸収性コアは、それぞれ、おむつ幅方向内方側の一部が第１吸収性コアと重なり、おむつ幅方向外方側の他の一部が該第１吸収性コアと重なっておらず、且つ、第２吸収性コアは、それぞれ、おむつ幅方向外方側に、外装体に固定されていない非固定域を有している使い捨ておむつを提供することにより前記目的を達成したものである。
【発明の効果】
【００１１】
本発明の使い捨ておむつは、ウエスト回り及び脚回りからの漏れ防止性能に優れ、装着感にも優れている。特に尿取パッドを併用する成人失禁者用の使い捨ておむつとしてのモレ防止性能に優れている。
【発明を実施するための最良の形態】
【００１２】
以下本発明を、その好ましい実施形態に基づき図面を参照しながら説明する。
本発明の一実施形態としての使い捨ておむつ１は、成人用のおむつであり、図１に示すように、パンツ型のおむつである。おむつ１は、図３に示すように、液透過性の表面シート２、液不透過性又は撥水性の裏面シート３及び両シート２，３間に介在された液保持性の第１吸収性コア４を有する吸収性本体５と、該吸収性本体５の非肌当接面側（おむつ外表面側）に位置する外装体１０とを具備してなる。おむつ１は、展開且つ伸張状態の長手方向において、着用者の背側に配される背側部Ｄと、腹側に配される腹側部Ｅと、これら両者間に位置する股下部Ｆとに区分される。股下部Ｆの両側縁部は、脚回りに沿うように凹状に形成されている。
【００１３】
ここで、展開且つ伸長状態とは、各部の弾性部材を伸長させて、設計寸法（弾性部材の影響を一切排除した状態で平面状に広げたときの寸法と同じ）となるまで拡げた状態をいう。本おむつ１のように、パンツ型おむつの場合は、サイド接合部を引き剥がして（サイド接合部がない場合は着用者の左右側部に位置するおむつ側部を切断して）、おむつを展開状態とし、その展開状態のおむつを、各部の弾性部材を伸長させて、前記の設計寸法となるまで拡げた状態をいう。
【００１４】
外装体１０は、図１に示すように、背側部Ｄの両側縁部と腹側部Ｅの両側縁部とが公知の接合手段により互いに接合されている。この接合によって、おむつ１には、一対のサイドシール部２１、ウエスト開口部２２及び一対のレッグ開口部２３，２３が形成されている。
【００１５】
図２に示すように、吸収性本体５は縦長矩形状をなし、その長手方向を、展開且つ伸長状態のおむつの長手方向に一致させ、後述する補助吸収体７４を介して接着剤８ａ，８ｂにより外装体１０の幅方向中央部に固定されている。
【００１６】
第１吸収性コア４は、表面シート２及び裏面シート３間に挟持固定されている。第１吸収性コア４は、長手方向中央部が括れた形状（砂時計状の形状）を有している。
より具体的には、第１吸収性コア４は、長手方向両端縁それぞれから所定の長さ（８〜１５ｃｍ程度）の範囲においては、その両側縁４１，４１がおむつ長手方向と略平行な直線状をなしており、第１吸収性コア４の幅がほぼ一定である。そして、長手方向の両端近傍の当該部分それぞれから、おむつ長手方向中央部に向かうにつれて、第１吸収性コア４の幅は漸次減少し、おむつ長手方向中央部付近において最小となっている。第１吸収性コア４は、おむつの長手方向中央よりやや腹側部側において幅が最小となっていることが好ましい。
本おむつ１においては、股下部Ｆの中央部付近に、第１吸収性コア４の幅がほぼ一定の部分を有し、その部分の幅が最小の幅となっている。第１吸収性コア４は、ティッシュペーパ、透水性の不織布等からなる透水性の被覆シート（図示せず）で被覆されている。表面シート２及び裏面シート３は、それぞれ矩形状をなし、第１吸収性コア４の周縁から延出した部分において互いに接合されている。
【００１７】
外装体１０は、図３に示すように、２枚のシート１１，１２と、これら２枚のシート間に固定された各部の弾性部材１３，１４，１５とからなる。具体的には、２枚のシート１１，１２間には、ウエスト開口部２２の周縁部にウエストギャザーを形成するウエスト部弾性部材１３、脚回りに配される部位である、レッグ開口部２３の周縁部にレッグギャザーを形成するレッグ部弾性部材１４、及びウエスト開口部２２の周縁端から下方に３０ｍｍ離間した位置と、レッグ開口部２３，２３の上端との間の領域である胴回り部に、胴回り方向に伸縮する胴回りギャザーを形成する胴回り部弾性部材１５がそれぞれ伸張状態で固定されている。
【００１８】
吸収性本体５の両側部それぞれには、図３に示すように、立体ガード６が形成されている。各立体ガード６は、図２に示すように、吸収性本体５の長手方向の両端部近傍に該吸収性本体５の上面上に固定された端部固定部６Ａ，６Ｂを有し且つ該端部固定部間６Ｃが着用時に起立可能になされている。
具体的には、吸収性本体５の両側部それぞれに、立体ガード形成用部材６１が固定されて立体ガード６が形成されている。図３（ｂ）に示すように、立体ガード形成用部材６１は、縦長矩形状のシート材６２と、シート材６２に伸張状態で固定された弾性部材６３とからなる。シート材６２は、幅方向に二つ折りされて２層構造を形成しており、それら両層間に接着剤等により弾性部材６３が固定されている。尚、裏面シート３は、立体ガード６の先端近傍まで配されていることが好ましい。
【００１９】
立体ガード形成用部材６１は、自由端６４の近傍に、該自由端６４と略平行に弾性部材６３が配されており、自由端６４側とは反対側の端部が吸収性本体５に固定されている。
端部固定部６Ａ（６Ｂも同様）における立体ガード６は、図３（ａ）に示すように、おむつ幅方向内方側に伏倒した状態で、接着剤６５やヒートシール等の公知の接合手段により表面シート２上に固定されており、他方、端部固定部間６Ｃにおける立体ガード６は、図３（ｂ）及び図３（ｃ）に示すように、少なくとも自由端６４側が、表面シート２上に固定されておらず、着用時に、その自由端６４側が着用者の肌方向に向かって起立可能になされている。尚、図３（ｂ）には、立体ガード６がわずかに起立した状態が示されており、図３（ｃ）には、立体ガード６が、おむつ幅方向内方側に伏倒して殆ど起立していない状態（展開且つ伸張状態のおむつにおける状態）と共に、二点鎖線で表した仮想線により、立体ガード６が、表裏面シート２，３の第１吸収性コア４から延出した部分と一体となって大きく起立している状態（着用時における状態）が示されている。
【００２０】
本おむつ１においては、４つの第２吸収性コア７，７，７’，７’が、互いに離間した状態で、それらの上面及び下面をそれぞれ覆うシート７２，７３を介して平面方向に連結されてなるシート状の補助吸収体７４（図４参照）を、第２吸収性コア７，７，７’，７’が背側部Ｄ及び腹側部Ｅの左右に位置するように、吸収性本体５と外装体１０との間に固定してある。
第２吸収性コア７，７，７’，７’は、それぞれ、図２に示すように、背側部Ｄ又は腹側部Ｅから、股下部Ｆに亘って配されている。即ち、背側部Ｄに位置する第２吸収性コア７，７は、背側部Ｄから股下部Ｆにかけて配されており、腹側部Ｅに位置する第２吸収性コア７’，７’は、腹側部Ｅから股下部Ｆにかけて配されている。
【００２１】
第２吸収性コア７，７，７’，７’は、おむつ展開且つ伸長状態において、それぞれ、おむつ幅方向内方側の一部が吸収性本体５の第１吸収性コア４と重なり、おむつ幅方向外方側の他の一部が該吸収性本体５の第１吸収性コア４と重なっておらず、且つ、第２吸収性コア７，７，７’，７’は、それぞれ、おむつ幅方向外方側に、外装体に固定されていない非固定域を有している。この点については、後述する。
【００２２】
補助吸収体７４は、図４に示すように、４つの第２吸収性コア７，７，７’，７’に跨って、これらの上下面を被覆するシート材７２，７３からなり、シート材７２は、液透過性シートである。シート材７３としては、液透過性シートの他、撥水性又は液不透過性シートを用いることもできる。シート材７２とシート材７３は、別々のシートであっても良いし、一枚のシート材を折り返して両シート材としても良い。液透過性シートとしては、後述する表面シート２の形成材料と同様のものを用いることができ、液不透過性シートとしては、後述する裏面シート３の形成材料と同様のものを用いることができる。
【００２３】
本おむつ１は、展開且つ伸張状態における長手方向を、図２に示すように、立体ガード６の前記端部固定部６Ａ又は６Ｂが存在する領域Ａと、該領域Ａに隣接し該領域Ａよりも長手方向中央部側（おむつ全長を２等分する中央線側に同じ）に位置する領域Ｂと、吸収性本体５の第１吸収性コア４の幅Ｗｆ〔図３（ｃ）参照〕が該領域Ｂにおける該吸収性本体５の第１吸収性コア４の幅Ｗｅ〔図３（ｂ）参照〕よりも狭くなっている領域Ｃであって、前記領域Ｂより長手方向中央部側（おむつ全長を２等分する中央線側に同じ）に位置する領域Ｃとに区分することができるが、そのように区分したときに、各第２吸収性コア７，７’は、前記領域Ａにおける幅Ｗａ〔図３（ａ）参照〕と、前記領域Ｂにおける幅Ｗｂ〔図３（ｂ）参照〕と、前記領域Ｃにおける幅Ｗｃ〔図３（ｃ）参照〕とが、Ｗａ＞Ｗｂ＞Ｗｃの関係を満たしている。
尚、本おむつ１は、左右対称であり、図３には、左側の半分のみが示されている。図３中における、Ｗｄ／２、Ｗｅ／２等は、おむつ左側の半分と右側の半分とを併せた幅がＷｄ，Ｗｅであることを示している。
【００２４】
前記領域Ａにおいては、立体ガードが内向きに固定されているので、防漏壁としての機能がなく、吸収可能な親水領域は最も狭くなる。この為、尿とりパッドは立体ガードからはみ出しやすく、尿とりパッドから液がモレた場合は、吸収性本体で液を吸うことができず、モレの危険が高くなる。以上から第２吸収性コアの幅寸法Ｗａは最も広くする必要がある。
前記領域Ｂにおいては、立体ガードが機能するため、領域Ａに比べれば防漏壁としての効果が期待できる。しかし、コアの幅が広いため、立体ガードは吸収性本体の側縁端から立体ガードの自由端までの長さが主に防漏壁として機能するに留まる。領域Ａよりはモレの危険が減るので、結果として第２吸収性コアの幅Ｗｂは、Ｗａより狭くすることができる。
前記領域Ｃにおいては、吸収性本体のコア幅が狭くなるため、吸収性本体の側縁端から立体ガードの自由端までの長さに加えて、コアの側縁から吸収性本体の側縁までの長さが浮き上がり立体ガードとして機能する。この為、Ｃ領域でのモレの危険は少なくなるため、第２吸収性コアの幅Ｗｃは最も狭くする事ができる。以上から、補助吸収体は、背から股下にかけて、漸次幅狭な形状をとることが、装着感とモレ防止の観点から重要である。
【００２５】
本おむつ１において、前記領域Ａに隣接し該領域Ａよりも長手方向中央部側に位置する領域Ｂとは、第１吸収性コア４の幅が前記領域Ａにおける該第１吸収性コア４の幅と実質的に同じである領域である。本おむつ１においては、第１吸収性コア４の幅が前記領域Ａと同一である部分が、前記領域Ａから５〜１２ｃｍまでの範囲にわたっているため、このような場合には、前記領域Ｂにおける幅Ｗｂは、第１吸収性コア４の幅が前記領域Ａにおける該第１吸収性コア４の幅Ｗａと同一である領域における第２吸収性コア７の幅を前記部分Ｂにおける幅Ｗｂとする。
【００２６】
本実施形態のおむつ１によれば、このような構成を有するため、端部固定部６Ａ又は６Ｂが存在する領域Ａ又はその近傍において、吸収性本体５又はおむつ１の内面上に配置して該おむつ１と併用した補助吸収パッド（尿取りパッド）等から、吸収性本体５の幅方向の外方に尿等の液が流れ出しても、その液を、第２吸収性コア７，７’に吸収させて安定に保持させることができる。そのため、優れた漏れ防止性能に優れ、特にウエスト回りからの漏れを効果的に防止することができる。
しかも、前記部位Ａよりも前記部位Ｂ、前記部位Ｂよりも前記部位Ｃにおいて、補助吸収体７，７’の幅をより狭くなっているため、補助吸収体７，７’が、着用者の脚回りに強く接触して違和感を与えることを防止することができる。
他方、立体ガードの起立の程度は、前記部位Ａから部位Ｃに向かって漸次大きくなるため、補助吸収体７，７’の幅を、上述したように、前記部位Ａから部位Ｃに向かって狭くしても、良好な漏れ防止性能は維持することができる。
【００２７】
本おむつ１においては、背側部Ｄ及び腹側部Ｅそれぞれにおける外装体１０に、胴回り部弾性部材１５が配されて、胴回り方向に伸縮する胴回りギャザーＧが形成されており、各第２吸収性コア７，７’は、図３（ａ）に示すように、おむつ幅方向の外方側に、胴回り部弾性部材１５上に重ねて配され、外装体１０に固定されていない非固定域７ａを有している。
本おむつ１においては、背側部Ｄ側の第２吸収性コア７，７及び腹側部Ｅ側の第２吸収性コア７’，７’が、シート７２及びシート７３を介して平面方向に連結されて一枚のシート状の補助吸収体７４を形成している。補助吸収体７４は、おむつ１の製造時に、一枚のシート状部材として、吸収性本体５と外装体１０との間に接着剤８ａ，８ｂを介して固定されている。
【００２８】
本おむつ１における補助吸収体７４は、図３（ｂ）に示すように、おむつ幅方向において、左右の第２吸収性コア間の連結部のみにおいて外装体１０に固定されており、各第２吸収性コア７，７’は、前記領域Ａにおけるその幅Ｗａのほぼ全体が、外装体１０に接合されていない。第２吸収性コア７，７’が、おむつ幅方向外方側に、外装体１０に固定されていない非固定域７ａを有することで、胴回りギャザーＧの収縮に伴って、第２吸収性コア７、７’の幅が減少することを防止でき、着用中のフィット性及び漏れ防止性能を向上させることができる。
おむつ幅方向における非固定域７ａの最大幅は、第２吸収性コアの最大幅Ｗａの５０〜１００％であることが好ましく、７０〜１００％であることがより好ましく、１００％固定されていない（全域非接着）ことが最も好ましい。尚、必要に応じて、吸収性本体５および第２吸収性コア７．７’と重なる胴回りギャザー域の一部を非弾性化することも可能である。
【００２９】
また、本おむつ１の製造の際には、補助吸収体７４を一枚のシート状部材として、吸収性本体５及び外装体１０の一方に固定した後、他方を該シート状部材に固定することで、各第２吸収性コア７，７’の配置が完了するため、各第２吸収性コア７，７’を個別に固定する場合に比べて製造工程が簡略化できる。また、各第２吸収性コア７，７’を外装体１０上から浮かした状態に固定することを容易に実現できる。
【００３０】
本おむつ１における吸収性本体５は、図３に示すように、その幅方向に、該吸収性本体５の下面が、補助吸収体７４（他の部材）に固定されている固定部５１と、該固定部５１の両側に位置し、吸収性本体５の下面が、補助吸収体７４（他の部材）に固定されていない非固定部５２とを有している。即ち、吸収性本体５の両側縁からそれぞれ所定幅の領域における下面は、補助吸収体７４に接合されていない。
【００３１】
非固定部５２を設けることで、非固定部５２とその下に位置する補助吸収体（他の部材）７４との間に、排泄物を捕捉可能なポケットを形成させることができ、漏れ防止性能を一層向上させることができる。排泄物捕捉性能に優れたポケットを形成する観点から、おむつ長手方向における、第２吸収性コア７，７’が存在する部位において、非固定部５２の幅Ｗ１〔図３（ａ）参照〕は、吸収性本体５の幅Ｗ２〔図１参照〕の１０〜４０％の範囲内であることが好ましく、１５〜３５％の範囲内であることがより好ましい。また、吸収性本体５の長手方向の長さＬ１（図２参照）の５０〜１００％、特に５５〜１００％の長さに亘る範囲において、非固定部５２の幅Ｗ１は、前記幅Ｗ２に対する割合が上述した範囲内であることが好ましい。尚、本明細書中に記載の各部の寸法は、展開且つ伸張状態のおむつにおいて測定する。
【００３２】
おむつ１は、図３（ｃ）に示すように、股下部Ｆにおけるおむつ幅方向において、補助吸収体７４と外装体１０との接合部の幅Ｗ４が、補助吸収体７４と吸収性本体５の接合部の幅Ｗ５より大きい。第２吸収性コア７，７’の位置を安定させるためには、補助吸収体７４と外装体１０との接合部の幅Ｗ４は広い方が好ましいが、第２吸収性コアがある部位まで固定すると、外装体１０に配置された胴回り部弾性部材１５の影響により、第２吸収性コアが収縮してしまう不都合が生じ易い。そのため、補助吸収体７４と外装体１０との接合部は、第２吸収性コアにかかるぎりぎりのところまでとることが好ましい。また、補助吸収体７４と吸収性本体５との接合部の幅Ｗ５を狭くすると、両者間にポケットが生じやすくなり、漏れ防止性が向上する。前記幅Ｗ４＞前記幅Ｗ５とすることで、ポケットを生じやすく且つ漏れにくいという効果が大きくなる。
【００３３】
また、本おむつ１においては、第１吸収性コア４の幅が最小となる部位において、該第１吸収性コア４の側縁端と吸収性本体５の側縁端との間の距離が、該吸収性本体５の側縁端から立体ガードの自由端６４との間の距離よりも大きいことが好ましい。吸収性本体５の長手方向の両端部近傍においては、吸液可能な領域の幅を充分に維持できる一方、股下部においては、吸収性本体５の、第１吸収性コア４から延出した部分を、図３（ｃ）に示すように、立体ガード６と一体的に大きく起立させることができ、脚回りからの漏れ防止性や補助吸収パットの収納性を一層向上させることができる。
【００３４】
各第２吸収性コア７，７’は、吸収性本体５の第１吸収性コア４よりも厚さが薄いことが好ましい。第２吸収性コア７，７’の厚さは、第１吸収性コア４の厚さの０．０１〜７０％、特に０．１〜５０％であることが、装着感の悪化防止の観点から好ましい。同様の観点から、各補助吸収体７，７’の厚さは０．１〜２０ｍｍ、特に０．５〜１０ｍｍであることが好ましい。
【００３５】
第２吸収性コア７，７’及び第１吸収性コア４の厚さは、以下のようにして測定することができる。
〔第２吸収性コア７，７’の厚さ測定方法〕
おむつから丁寧にシート状の補助吸収体（コアと被覆シートを含んだもの）を取り出し厚みを測定する。その後、取り出した補助吸収体を分解し、シート状の被覆シートからコア形成繊維を取り除き総ての被覆シートの厚みを測定し、前記補助吸収体の厚みから、被覆シートの厚みを差し引いて、第２吸収性コアの厚みとする。この際の厚みは、５０ｍｍ×５０ｍｍのアクリル板を乗せて、荷重０．６ｇ/ｃｍ2下の厚みを、キーエンス社製の非接触型ＣＣＤレーザー変位センサーＬＫ−０８０等を用いて測定する。
【００３６】
〔第１吸収性コア４の厚さ測定方法〕
補助吸収体の厚みを測定し、その後被覆シートの厚み分を差し引いて第１吸収性コアの厚みとする。股下中央部等に二層構造の厚さの厚い部分を有する場合等、第１吸収性コアがその一部に厚さの厚い領域を有する場合には、その厚さの厚い部分の厚みを測定する。測定は５回行い、その平均値で測定結果を表す。
【００３７】
各第２吸収性コア７，７’は、展開且つ伸張状態のおむつにおいて、図２及び図３に示すように、その一部が吸収性本体５の第１吸収性コア４の長手方向の側縁の位置よりもおむつ幅方向の外方に位置し、残りの部分（他の一部）が、吸収性本体５の第１吸収性コア４の長手方向の側縁の位置よりもおむつ幅方向の内方に位置するように配されている。即ち、第２吸収性コア７，７’の一部は、おむつの厚み方向において非固定部５２における第１吸収性コア４と重なっている。
第１吸収性コアからこぼれた液を、おむつから漏れ出さないようにするには、第１吸収性コアの外方に、第２吸収性コアを配置して吸収させることが望ましい。しかし、第２吸収性コアを第１吸収性コアの外方に設けると、違和感が増大したり、また、パンツ型のおむつにおいては、胴回り方向の伸縮性の阻害につながる。第２吸収性コア７，７’の一部を非固定部５２における第１吸収性コア４と重ねて配置することで、そのような不都合を防止しつつ、吸収容量及び吸収性能を高めることができる。
【００３８】
各第２吸収性コア７，７’は、その面積（平面積）が５０〜２５０ｃｍ2、特に７０〜１５０ｃｍ2程度であることが、モレ防止性能と装着感の点から好ましい。
各第２吸収性コア７，７’は、第１吸収性コア４の長手方向の側縁よりも外方に位置する部分の面積が、その全面積の２０〜８０％、特に３０〜７０％程度であることが好ましい。
【００３９】
本おむつ１における各第２吸収性コア７，７’は、おむつ幅方向外方側の端部の位置が、背側部Ｄ又は腹側部Ｅにおけるおむつ幅方向の端部（サイドシール部）にまでは達していない。各第２吸収性コア７，７’のおむつ幅方向最外側の端部７７の位置と吸収性本体５の端部の位置との間の距離Ｌ２（図２参照）は、背側部Ｄ又は腹側部Ｅにおけるおむつ幅方向の端部（サイドシール部）と吸収性本体５の端部の位置との間の距離Ｌ３（図２参照）の１０〜４５％、特に１５〜４０％であることが、胴回りのフィット性を低下させることなく、良好な漏れ防止性能を得る観点から好ましい。
また、各第２吸収性コア７，７’は、おむつ長手方向の寸法が、吸収性本体５の長さＬ１（図２参照）の５〜４０％、特に１０〜３５％であることが、モレ防止性能と装着感の点から好ましい。ただし、第２吸収性コアの長さは、おむつ長手方向の最大長とする。
【００４０】
本おむつ１においては、外装体１０における着用者の脚回りに配される部位としての、レッグ開口部の周縁部に、レッグギャザー形成用のレッグ部弾性部材１４が配されている。
各第２吸収性コア７、７’は、図２に示すように、おむつ長手方向における、該各第２吸収性コア７、７’が存在する部分の全域において、レッグ部弾性部材１４よりもおむつ幅方向の内側に配されている。
第２吸収性コア７、７’が、レッグ部弾性部材１４のレッグギャザーを形成する部分と重なっていないことで、該ギャザーの伸縮応答性を阻害することがない。また、着用時に、第２吸収性コア７、７’の両側において、非固定部５２とレッグギャザー部とが着用者の肌側に向かって起立する状態となって、第２吸収性コア７、７’を有する部分が直接肌に接触しにくくなるため、装着感を一層向上させることができる。
尚、実施形態における第２吸収性コア７、７’は、台形の角を丸めた形状を有しており、レッグ部弾性部材１４及び固定部５１の側縁端に沿った縁部を有している。
【００４１】
第２吸収性コア７，７’としては、（１）繊維集合体からなるもの、（２）繊維集合体に吸水性ポリマーを保持させたもの等を用いることができる。
繊維集合体を構成する繊維材料としては、フラッフパルプ、セルロース繊維、再生セルロース繊維、クラフトパルプ、ＰＥ、ＰＥＴ，ＰＰなどの合成繊維を親水化処理して得られた繊維等が挙げられる。
【００４２】
繊維集合体の形態としては、乾式パルプシート、吸収性ポリマーを紙や不織布で固定したシート、更には、各種公知の方法により得られた不織布等、及びこれらの積層体、あるいは、特開平８−２４６３９５，特開平８−１１２３０７又は特開平８−１２０５９０に記載のものが挙げられる。
【００４３】
おむつ１の第２吸収性コア以外の各部を構成する材料としては当該技術分野において通常用いられているものを特に制限なく用いることができる。
例えば表面シート２としては、親水性且つ液透過性の不織布や、開孔フィルムを用いることができる。裏面シート３としては、撥水性の不織布、樹脂フィルムや、樹脂フィルムと不織布等とのラミネート材等を用いることができる。
第１吸収性コア４としては、フラッフパルプの積繊物、フラッフパルプと高吸収性ポリマーの粒子との混合積繊物等を用いることができる。
【００４４】
シート材６２としては、スパンボンド・メルトブローン・スパンボンドのような多層構成の撥水性複合不織布等を用いることができる。弾性部材６３の形態としては、糸状のもの（糸ゴム等）、所定幅の帯状のもの（平ゴム等）等を用いることができ、弾性部材の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００４５】
以上、本発明の好ましい実施形態について説明したが、本発明は、上述した実施形態に制限されず、本発明の趣旨を逸脱しない範囲で種々変更が可能である。
例えば、胴回り方向に伸縮する胴回りギャザーは、背側部及び腹側部の何れか一方にのみ形成されていても良い。また、シート状の補助吸収体は、それらの上面及び下面の何れか一面のみを覆うのみが、４つの第２吸収性コアに亘るように配されていても良い。シート状の補助吸収体は、長手方向の中央部が括れた形状であるが、他の形状としても良い。また、外装体１０は、１枚又は３枚以上のシートが積層されてなるものであっても良い。また、第２吸収性コア７，７’の形状は、適宜変更することができる。
【００４６】
本発明の使い捨ておむつは、幼児用のパンツ型おむつであっても良く、更には、幼児又は成人用のいわゆる展開型の使い捨ておむつであっても良い。
【図面の簡単な説明】
【００４７】
【図１】図１は、本発明の使い捨ておむつの一実施形態としてのパンツ型おむつを背側部側から見た状態を示す斜視図である。
【図２】図２は、図１に示すおむつの展開且つ伸張状態を示す平面図である。
【図３】図３は、図２に示すおむつの幅方向の断面を示す図で、（ａ）は、図２のＩ−Ｉ線、（ｂ）は、図２のＩＩ−ＩＩ線、（ｃ）は、図２のＩＩＩ−ＩＩＩ線に沿う断面を示す図である。
【図４】図４は、図１のおむつの製造に用いた補助吸収体を示す平面図である。
【符号の説明】
【００４８】
１  使い捨ておむつ
２  表面シート
３  裏面シート
４  第１吸収性コア
５  吸収性本体
５１  固定部
５２  非固定部
６  立体ガード
７，７’  第２吸収性コア
７４    補助吸収体
１０  外装体
Ｄ    背側部
Ｅ    腹側部
Ｆ    股下部
【図１】
2006102144.tif 000003
【図２】
2006102144.tif 000004
【図３】
2006102144.tif 000005
【図４】
2006102144.tif 000006